【手続補正書】
【提出日】令和3年2月9日(2021.2.9)
【手続補正１】
【補正対象書類名】特許請求の範囲
【補正対象項目名】全文
【補正方法】変更
【補正の内容】
【特許請求の範囲】
【請求項１】
ハンドルと、このハンドル内に納められた電気的往復動発生装置と、この電気的往復動発生装置の出力取出部に設けたやすり紙を挟持するための挟持具と、から成るやすり紙用の電動やすり。
【請求項２】
前記挟持具が前記出力取出部に対して着脱自在に設けられている、請求項１に記載のやすり紙用の電動やすり。
【請求項３】
前記電気的往復動発生装置が、磁気回路を構成するヨークと、このヨークに対して往復動し得るように設けられた、前記磁気回路を構成するムービングコイルと、から成り、このムービングコイルを前記出力取出部として成る、請求項１に記載のやすり紙用の電動やすり。
【請求項４】
前記電気的往復動発生装置が、電動モータの回転軸に設けたカムを前記出力取出部に接触させて成るものである、請求項１に記載のやすり紙用の電動やすり。
【請求項５】
請求項１乃至請求項４の何れか一に記載の電動やすりの、前記挟持具にやすり紙を挟持させて成る、やすり紙付きの電動やすり。
【手続補正２】
【補正対象書類名】明細書
【補正対象項目名】全文
【補正方法】変更
【補正の内容】
【発明の詳細な説明】
【発明の名称】やすり紙用の電動やすり及びやすり紙付きの電動やすり
【技術分野】
【０００１】  この発明は歯科技工所や歯科医院での全部床義歯などの入歯の調整を行うのに適した、電動の切削用具に関する。
【背景技術】
【０００２】  義歯が合わない問題を解決することは容易ではないため、義歯が少しでも長く患者さんに合うようにする努力が、歯科技工所でも歯科医院でも日夜続けられている。
【先行技術文献】
【特許文献】
【０００３】
【特許文献１】実用新案登録第３１６０４９２号公報（後出）
【発明の概要】
【発明が解決しようとする課題】
【０００４】  例えば全部床義歯に付いて、やすりを掛けて早期接触部が無くなるまで研磨調整することが行われる。この時の研磨調整は上下の入歯の咬み合せを解いて行われるものであるため、この動作を減らすことが出来れば、作業能率が向上して、時間節約になると共に調整コストが低減するはずである。この発明は、このような問題点の解決を課題とするものである。
【課題を解決するための手段】
【０００５】  当発明者は、当発明者の考案になる実用新案登録第３１６０４９２号の「歯科用やすり」が問題の解決に繋がるのではないかと考えた。この実用新案登録第３１６０４９２号の「歯科用やすり」は、口内の歯の治療に於いて、咬み合せの早期接触部を診断するのと同じようなやり方で早期接触部を研磨調整することを可能にした実用的な考案であった。すなわちそれまで歯科用咬合検査シートによる検査と削合調整とを繰り返し繰り返し行わなくてはならなかった所、上記のような調整作業を容易に行えるようにした点で、優れた考案であると言うことが出来る。【０００６】  そこで上記課題は、ハンドルとこのハンドル内に納められた電気的往復動発生装置と、この電気的往復動発生装置の出力取出部に設けたやすり紙を挟持するための挟持具と、から成るやすり紙用の電動やすりを提供することにより達成される。このやすり紙に上記歯科用やすりが含まれる。【０００７】  なお実用新案登録第３１６０４９２号の「歯科用やすり」は、咬み合せの早期接触部を削合調整するためのやすり面を片面側に有するシートより成るものである。このシートにはプラスチックシートやラミネート紙や金属箔にプラスチックフィルムを張り合わせたものなどが用いられる。このようなシートの片面にセラミック粉やアルミナ粉などの研削性粉体を付着させるなどしてやすり面が構成される。この構成は十分参考になる。【０００８】  さてその使用法であるが、電気的往復動発生装置の出力取出部にある挟持具にやすり紙を挟持させて、電気的往復動発生装置をＯＮの状態にすれば良い。全部床義歯などの入歯の製作工程や、患者への適合工程に於いて、やすり紙を上下の入歯で咬み合せるようにしたり、上下の入歯の咬み合せに挿入させるようにしたりする。これにより上下の入歯が噛み合った状態のまま、早期接触部の研磨調整を行うことが出来る。なお挟持具が出力取出部に対して着脱自在であるように設けられていると、挟持具にやすり紙を取り付けたりする作業が楽になる。電気的往復動発生装置をＯＮにすると、やすり紙は歯間にあって往復動を行い、早期接触部を研磨するように動作する。【０００９】  次に、電気的往復動発生装置には各種あるが、特に磁気回路を構成するヨークと、このヨークに対して往復動し得るように設けられた、前記磁気回路を構成するムービングコイルと、から成り、このムービングコイルを前記出力取出部として成るものとすることが出来る。電気的往復動発生装置にいわゆるボイスコイルモータを適用するのである。ボイスコイルモータによる電気的往復動発生装置には、比較的に大きな出力が容易に得られると言う利点がある。【００１０】  次に、電気的往復動発生装置が、電動モータの回転軸に設けたカムを前記出力取出部に接触させて成るものとすることが出来る。このようなカムやクランクを用いた電気的往復動発生装置には、比較的に構成が単純でコストが安いと言う利点がある。
【発明の効果】
【００１１】  この発明のやすり紙用の電動やすり及びやすり紙付きの電動やすりによれば、全部床義歯などの入歯の製作工程に於いて、研磨調整を上下の入歯の咬み合せを解かずとも行うことが出来るようになり、作業能率の向上や作業時間の節約や製作コストの低減が実現されると言う効果を奏する。
【図面の簡単な説明】
【００１２】
【図１】実施例１の説明図である。
【図２】実施例１のボイスコイルモータ３０の説明図である。
【図３】実施例１の電気回路をブロック図で表した説明図である。
【図４】実施例１で用いたやすり紙Ｙの説明図である。
【図５】実施例２の説明図である。
【図６】実施例２の挟持具５の説明図である。
【発明を実施するための形態】
【００１３】  以下本発明の２種類の実施例を図１〜図６を参照しつつ説明するが、本発明はこれ等の実施例に限定されるものではない。
【実施例１】
【００１４】  図１乃至図３で表したこの実施例の電動やすり１は、図４（Ａ）で表したやすりＹを付けて使用するものである。やすりＹは鋼製の薄いシート状体ｉの片面側にアルミナジルコニア粉末の研削材をにかわ質の接着剤にて二層コーティングにより接着してやすり部ｙを形成したものである。【００１５】  ハンドル１０に図３のムービングコイル３５と制御回路３６と二次電池３７とから成る駆動回路３が内蔵されている。制御回路３６の電源スイッチ３８はハンドル１０の表面に設けたスイッチカバー１４の下に位置し、またＬＥＤ（Ｌｉｇｈｔ  Ｅｍｉｔｔｉｎｇ  Ｄｉｏｄｅ）３９はハンドル１０の表面に設けたインジケータ窓１５の下に位置している。ハンドル１０の後端部に充電端子３００が設けられており、ここから制御回路３６に配線されて、充電時の外部電力が供給されるようになっている。またハンドル１０の前端部には開口部１６があり、ムービングコイル３５を構成要素とするボイスコイルモータ３０の出力取出部１１がハンドル１０の外部に取り出されている。【００１６】  ボイスコイルモータ３０は図２で表すような構成である。すなわち円筒形状の内ヨーク３１の回りに間を開けるようにして外ヨーク３２が接続されており、外ヨーク３２の内側に添うようにして磁石３３が取り付けられている。この磁石３３と内ヨーク３１との間に各々との間を開けるようにして、外側にムービングコイル３５が捲回されたコイルボビン３４が挿着されている。従ってコイルボビン３４は内ヨーク３１に対して往復動自在である。このようにして磁気回路が構成されている。【００１７】  駆動回路３の制御回路３６は、充電端子３００が電源に接続されたら、充電管理を行いつつ二次電池３７に充電を行う。また制御回路３６はＯＦＦの状態から電源スイッチ３８が押されるとムービングコイル３５に振動電流を供給して、２度目に電源スイッチ３８が押されたならば振動数を上げ、３度目に電源スイッチ３８が押されたならばＯＦＦの状態にする、と言う制御を行うように設定されている。【００１８】  上記出力取出部１１の先端部には逆動作鉗子２の右片２０と左片２１との接合部２２を装着するための鉗子装着口１３が開口されていると共にチャック１２が螺嵌されている。逆動作鉗子２は鉗子装着口１３に対して着脱自在である。この逆動作鉗子２は右片２０と左片２１とが中央で交差する構成であり、接合部２２に近い部位の右片２０と左片２１とを閉じるように押すと、逆に先端部の左片２１と右片２０とが開くようになっている。【００１９】  逆動作鉗子２の左片２１と右片２０とを開き、左片２１と右片２０との間でやすりＹを挟持させてから、逆動作鉗子２の接合部２２を鉗子装着口１３に装着して、チャック１２で締結すると、この実施例の電動やすり１が使用し得る状態となる。やすりＹは恰も咬合検査シートのように、しかし入歯の、上下の歯の間に挟んで使用することが出来るものである。このやすりＹのやすり部ｙの面を研削したい早期接触部に向けるようにして、スイッチカバー１４を押すとスイッチ３８が入ってＬＥＤ３９が点灯したことがインジケータ窓１５から確認され、ボイスコイルモータ３０が往復動を発生して、やすりＹが左右の矢線の方向に振動し、��歯の早期接触部を研削して均す作業がスピーディーに行われるのである。【００２０】  なお図４（Ｂ）で表したやすりは、合繊紙製の薄いシート状体ｐの表面にやすり部ｙを形成し、裏面にＰＰ（ポリプロピレン）樹脂製の薄いシート状体ｓを張り合せて成るものである。この構成によれば研削しない義歯の側にＰＰ樹脂のシート状体ｓが当ることになるため、研削しない義歯に対する滑り性が良好になると言う特質を有する。なお合繊紙製のシート状体ｐの代わりにＰＰ樹脂等の滑りの良い素材から成るシート状体を用いる構成も可能である。
【実施例２】
【００２１】  図５及び図６で表したこの実施例の電動やすり４は、モータ４６の回転軸４７に板カム４５が取り付けられており、この板カム４５は後述するコロ４８に接触している。一方、振動側筐体４１の先端部には装着口４２が開口されており、ここに逆動作鉗子５が装着される。この振動側筐体４１は外側のハンドルとしての筐体４０に対して、バネ４４を以て板カム４５の方向に付勢されつつ前後方向に振動可能に設けられている。また振動側筐体４１はその後端部のコロ４８を以て板カム４５に接触するように設けられている。このように電気的往復動発生装置が構成されている。【００２２】  この実施例で用いる逆動作鉗子５は、金属製の薄板をＭ字形状に加工したものであり、Ｍ字形状の３角は各々丸くカーブした形状をしており、Ｍ字形状の２片（右片５０と左片５１）が合わさり鉗子の挟着部を構成している。この逆動作鉗子５は、振動側筐体４１の装着口４２に納められる際に装着口４２内の３か所に立設された固定柱４３に上記３角のカーブした部位が掛かって固定されるようになっている。なおこの装着口４２には逆動作鉗子５の装着後に、図示しない蓋部が被せられる。またＭ字形状の右片５０と左片５１の内側の合わさる部位には、右片５０と左片５１とで挟着した時に、噛み込ませることによってやすりＹから外れたりすることがないようにするための複数個の突起５２が設けられている。【００２３】  モータ４６の板カム４５が回転すると、これに接触するコロ４８は板カム４５に押されたり、押されていない時にはバネ４４に引かれたりして、コロ４８が設けられている振動側筐体４１に往復振動を起こさせる。従って振動側筐体４１に装着された逆動作鉗子５が往復振動を行って、やすりＹが左右の矢線の方向に振動し、入歯の早期接触部を研削して均す作業がスピーディーに行われることになる。
【産業上の利用可能性】
【００２４】  この発明の電動やすりは、全部床義歯などの入歯の研磨調整に威力を発揮するものであるが、患者の口の中で行う歯の治療に於ける、早期接触部を無くする研磨調整に対しても十分役立つものであり、これもまたこの発明の権利範囲内にある。
【符号の説明】
【００２５】１    電動やすり          １０  ハンドル            １１  出力取出部
１２  チャック            １３  鉗子装着口          １４  スイッチカバー
１５  インジケータランプ  １６  開口部
２    逆動作鉗子          ２０  右片                ２１  左片
２２  接合部
３    駆動回路            ３０  ボイスコイルモータ  ３１  内ヨーク
３２  外ヨーク            ３３  磁石                ３４  コイルボビン
３５  ムービングコイル    ３６  制御回路            ３７  二次電池
３８  電源スイッチ        ３９  ＬＥＤ              ３００充電端子
４    電動やすり          ４０  筐体                ４１  振動側筐体
４２  装着口              ４３  固定柱              ４４  バネ
４５  板カム              ４６  モータ              ４７  回転軸
４８  コロ
５    逆動作鉗子          ５０  右片                ５１  左片
５２  突起